(57)【要約】      （修正有）【課題】植物栽培に必要な栽培土壌全体への均等給水を可能にする保水・通水フィルターを提供する。【解決手段】防水コンテナ５等の下部に設置された貯水槽などから毛細管現象を利用して水を連続的に揚水する。さらに、栽培土壌底部全面に敷設された不織布フェルトなど吸水・保水性の高い吸水・透水２層フィルター２に一旦、吸水、保水させる。これによりフィルター全体へ毛細管現象によって拡散し、土壌底面全体への均一な給水を可能とする。また、不織布フェルトのフィルターの目詰まりによる吸水・保水効率低下の防止と土壌流出防止のため、化学繊維の透水性の高い布を重ねることにより、より効率よい不織布フェルトから土壌への水分分離が行われ、吸水効率をたかめる。【選択図】図１
0003161967.tif 000002
【実用新案登録請求の範囲】
【請求項１】
毛細管現象による植物栽培土壌への液肥なども含めた水分等の供給において、栽培土壌全体へ均等に給水するための方法として、不織布、フェルトなどの吸水・保水性の高い繊維質のフィルターを吸水・保水フィルターとして栽培土壌全体に敷設することで、土壌全体への均等な吸水を行う。
【請求項２】
吸水・保水フィルターによる土壌への水分供給効率の向上、維持に深く関わる栽培土壌の落下等によるフィルター内への流入による目詰まり防止と土壌消耗を抑制するため、吸水・保水フィルターと栽培土壌の間に化学繊維などの土壌を保持する透水の高い布素材などを用いた透水フィルターを設け、より効率的な栽培土壌への均等吸水を実現する。
【考案の詳細な説明】
【技術分野】
【０００１】  毛細管現象などを利用した植物栽培のための下部に設置した貯水層から給水をおこなうシステムにおいて、植物栽培に必要不可欠な栽培土壌全体への均等給水を実現し、給水不測による成育不良、部分的過水状態による根腐りの課題を解決する低コストで簡単な構造によって均等給水を実現する方法に関する。
【背景技術】
【０００２】  従来の毛細管現象を利用した給水による植物栽培方法については、植物栽培土壌に対して下部に設けた貯水槽から毛細管現象を利用して水分を連続的に供給する方法がある。（例えば、特許文献１参照。）
また、同様に貯水槽から毛細管現象を用いて栽培土壌の上下から給水する方法もある。（例えば、特許文献２参照）
その他先行技術においても、原理的および基本構造には全く異なる新たな技術はなく、類似の技術といえるものである。
【先行技術文献】
【特許文献】
【０００３】
【特許文献１】特許公開２０００−３５４４２２
【特許文献２】特許公開平１０−５６８９１
【特許文献３】登録実用新案第３０００９９９
【特許文献４】登録実用新案第３１３３５１２
【特許文献５】登録実用新案第３１４０８８１
【特許文献６】登録実用新案第３１５２２６１
【特許文献７】実用新案公開平０７−０１７０４２
【特許文献８】特許公表２００３−５２６３４７
【特許文献９】特許公開平０５−２８４８６５
【特許文献１０】特許公開平１０−０５６８９１
【特許文献１１】特許公開２００２−０２７８３４
【特許文献１２】特許公開２００２−１１９１３７
【特許文献１３】特許公開２００４−１７３６６０
【特許文献１４】特許公開２００５−２１８３０３
【特許文献１５】特許公開２００６−１９７９４６
【特許文献１６】特許公開２００７−００６７２９
【特許文献１７】特許公開２００９−２１９４９６
【考案の概要】
【考案が解決しようとする課題】
【０００４】  毛細管現象等を利用した植物栽培のための給水システムについては、数多くの特許、実用新案が出願・公開されているが、そのすべてにおいて植物栽培に必要な栽培土壌全体への均等給水に問題があり、実際の植物栽培において実証試験および経験則等により、部分的給水不足のための生育不良、部分的過水状態による根腐りを生ずるなど実用性、有効性に問題がること分かった。そのため、この課題を解決するため、植物栽培に必要不可欠な栽培土壌への均等給水を実現する工夫が必要となった。
【課題を解決するための手段】
【０００５】  下部などに設置された貯水槽などから毛細管現象を利用して水を連続的に揚水し、既存技術のように直接的、かつ局部的に植物栽培土壌へ直接給水するのではなく、栽培土壌底部全面に敷設された不織布フェルトなど吸水・保水性の高いフィルターに吸水、保水させることでフィルター全体へ毛細管現象によって拡散させ、土壌底面全体への均一な給水を可能とし、局部的給水による部分的過水、給水不足状態を解消し、過水による根腐れ、不足による成育不良を解消するものである。
また、栽培土壌の下部への落下防止と不織布フェルトのフィルターの目詰まりによる、吸水・保水効率低下の防止のため、化学繊維の透水性の高い布を重ねることにより、より効率よい不織布フェルトから土壌への水分分離が行われ、吸水効率をたかめることを工夫してある。
【考案の効果】
【０００６】  栽培土壌全体への均等な水分供給がより効率的に行われることにより、必要最小限の潅水で、植物の順調な成育が見込まれ、植替えにおいても根の活着が極めて短時間で行われ、これまでの毛細管現象を利用した植物栽培システム、同装置などの最大の欠点であった個別株ごとの栽培においても構造的欠陥から生じる植物の成育のバラつきと過水による根腐れなどによる損耗、病害併発の障害を回避可能とした。これにより、これまで技術的に困難だった植物の複数の株を同一の容器において同時に大量に育成することが可能となり、必要最小限の水を有効に低コストで活用可能な毛細管現象を利用した植物栽培方法を、商業規模まで実施規模を拡張できる可能性を生み出した。【０００７】  このシステム、装置改良の工夫を添付別紙「図１」で説明すると、基本的な構造は、既存技術と同様であるが、ポイントは図１および詳細を描いた図２の▲２▼の保水・透水２層フィルターにある。▲５▼で遮蔽された密閉容器もしくは密閉された構造の下部▲４▼の貯水槽から▲６▼の導水装置（フェルトなど毛細管現象を生じさせやすい素材）によって溜まった水が▲２▼の保水・透水２層フィルターに揚げられ、フィルターの内部での細管現象により▲１▼の栽培土壌底部全体に拡散される。
【図面の簡単な説明】
【図１】実施における設置例
【図２】フィルター装置の概念図
【図１】
0003161967.tif 000003
【図２】
0003161967.tif 000004
【手続補正書】
【提出日】平成22年5月31日(2010.5.31)
【手続補正１】
【補正対象書類名】明細書
【補正対象項目名】全文
【補正方法】変更
【補正の内容】
【考案の詳細な説明】
【技術分野】
【０００１】  毛細管現象などを利用した植物栽培のための下部に設置した貯水層から給水をおこなうシステムにおいて、植物栽培に必要不可欠な栽培土壌全体への均等給水を実現し、給水不足による成育不良、部分的過水状態による根腐りの課題を解決する低コストで簡単なフィルター装置によって均等給水を実現する方法に関する。
【背景技術】
【０００２】  従来の毛細管現象を利用した給水による植物栽培方法については、植物栽培土壌に対して下部に設けた貯水槽から毛細管現象を利用して水分を連続的に供給する方法がある。（例えば、特許文献１参照。）
また、同様に貯水槽から毛細管現象を用いて栽培土壌の上下から給水する方法もある。（例えば、特許文献２参照）
その他先行技術においても、原理的および基本構造には全く異なる新たな技術はなく、類似の技術といえるものである。
【先行技術文献】
【特許文献】
【０００３】
【特許文献１】  特許公開２０００−３５４４２２
【特許文献２】  特許公開平１０−５６８９１
【特許文献３】  登録実用新案第３０００９９９
【特許文献４】  登録実用新案第３１３３５１２
【特許文献５】  登録実用新案第３１４０８８１
【特許文献６】  登録実用新案第３１５２２６１
【特許文献７】  実用新案公開平０７−０１７０４２
【特許文献８】  特許公表２００３−５２６３４７
【特許文献９】  特許公開平０５−２８４８６５
【特許文献１０】  特許公開平１０−０５６８９１
【特許文献１１】  特許公開２００２−０２７８３４
【特許文献１２】  特許公開２００２−１１９１３７
【特許文献１３】  特許公開２００４−１７３６６０
【特許文献１４】  特許公開２００５−２１８３０３
【特許文献１５】  特許公開２００６−１９７９４６
【特許文献１６】  特許公開２００７−００６７２９
【特許文献１７】  特許公開２００９−２１９４９６
【考案の概要】
【考案が解決しようとする課題】
【０００４】  毛細管現象等を利用した植物栽培のための給水システムについては、先行技術すべてにおいて貯水槽から毛細管現象を利用して揚水してきた水を直接かつ局所的に栽培土壌に供給する方法を用いている。そのため、部分的過水状態による根腐り、部分的給水不足のための生育不良を生ずる危険がある。先行技術においては、植物栽培に必要な栽培土壌全体への均等給水に問題があり、実際の植物栽培において実証試験および経験則等によりなど商業化のための大規模栽培に向けての実用性、有効性に問題がある。この課題を解決するため、植物栽培に必要不可欠な栽培土壌への均等給水を実現する工夫が必要となった。
【課題を解決するための手段】
【０００５】  下部などに設置された貯水槽などから毛細管現象を利用して水を連続的に揚水し、既存技術のように直接的かつ局所的に植物栽培土壌へ直接給水するのではなく、栽培土壌底部全面に敷設された吸水・保水フィルターに一旦給水し、フィルター全体に水を拡散させる。こうすることで土壌底面全体へ分散し均等な給水を可能とする。これにより局部的給水による部分的過水、給水不足状態が解消され、過水による根腐れ、給水不足による成育不良の問題を解決するものである。
【考案の効果】
【０００６】  ５ヶ月にわたる連続的な植物栽培試験を行った結果、既存技術においては、複数の栽培株を同時に栽培した場合、一部に根腐り、別の一部で成育不良という現象が起こり連続的な栽培に障害が生じるが、本考案の吸水・保水フィルターを使用した栽培株においては、複数の全ての栽培株においてほぼ順調かつ均等な成育を得て、連続的な栽培を実行できた。
【図面の簡単な説明】
【０００７】
【図１】  ▲１▼は吸水性・保水性の高いフェルト素材である。▲２▼は▲１▼の吸水性・保水性を低下させる危険のある栽培土壌の流入を防止するための透水性の高いナイロン製布であり、▲１▼と▲２▼を密着させることによって２層からなる本考案の保水・通水フィルターを構成する。▲１▼と▲２▼の組み合わせにより土壌の流入混入によるフェルト素材の吸水性・保水性の低下による効率を低下させることなくより効果的に連続的かつ長期的に栽培土壌への均等な給水を可能とする。
【図２】  実施応用形態
【産業上の利用可能性】
【０００８】  これまで、毛細管現象による植物栽培は給水方法で課題が多く、小型植木鉢・プランターを利用した単体の栽培株に限定的に応用されていたが、本考案により大型プランターなどによる複数株を同時に連続的に栽培する大規模商業規模の植物栽培を可能とするものである。
【手続補正２】
【補正対象書類名】実用新案登録請求の範囲
【補正対象項目名】全文
【補正方法】変更
【補正の内容】
【実用新案登録請求の範囲】
【請求項１】
毛細管現象による植物栽培土壌への水分供給において、栽培土壌全体へ均等に給水するための方法として、吸水・保水性の高いフェルトとこのフェルトへの植物栽培土壌の流入・混入を防止し吸水性・保水性の効率低下を抑制する透水性のあるナイロン製布素材を密着させ、土壌全体へより効率的に連続的かつ持続的に均等な給水を行う複合素材による２層からなるフィルター装置。
【手続補正３】
【補正対象書類名】図面
【補正対象項目名】全図
【補正方法】変更
【補正の内容】
【図１】
0003161967.tif 000005
【図２】
0003161967.tif 000006